(57)【要約】  本開示は、信号処理用のチップを大型化させることなく、より大きなデータ量の入力信号を処理することができるようにする信号処理装置、信号処理方法、及びプログラムに関する。分割部は、入力データを複数の異なる分割データに分割し、複数のLSIは、複数の異なる分割データをそれぞれ処理する。また、LSIは、分割データを対象として、第１のデータ処理を行い、その処理により得られる第１の処理結果を、他のLSIに送信するとともに、他のLSIから送信された第２の処理結果を受信する。本開示は、例えば、テレビジョン受像機等に適用できる。
2013191027.tif 000002
【特許請求の範囲】
【請求項１】
入力データを複数の異なる分割データに分割する分割部と、
複数の異なる前記分割データをそれぞれ処理する複数の信号処理部と
を含み、
前記信号処理部は、
前記分割データを対象として、第１のデータ処理を行う第1の処理部と、
前記第１の処理部による第１の処理結果を、他の前記信号処理部に送信するとともに、他の前記信号処理部から送信された第２の処理結果を受信する通信部と
を有する
信号処理装置。
【請求項２】
前記信号処理部は、
前記第１の処理結果と前記第２の処理結果に基づいて、前記入力データに前記第１のデータ処理を施したときに得られる第３の処理結果を取得する取得部と、
前記取得部により取得された前記第３の処理結果を対象として、前記第１のデータ処理とは異なる第２のデータ処理を行う第２の処理部と
をさらに有する
請求項１に記載の信号処理装置。
【請求項３】
前記通信部は、前記第１の処理結果の他、前記複数の信号処理部に反映させる設定内容を示す設定情報も、他の前記信号処理部に送信する
請求項２に記載の信号処理装置。
【請求項４】
前記通信部は、前記設定情報を受信済みの他の前記信号処理部との間で、前記設定情報に基づく設定内容を反映させるタイミングを同期させる
請求項３に記載の信号処理装置。
【請求項５】
前記通信部は、前記第１の処理結果を、他の前記信号処理部から受信済みの前記第２の処理結果とともに、さらに他の前記信号処理部に送信する
請求項４に記載の信号処理装置。
【請求項６】
前記分割部は、前記入力データとして入力される入力画像を、複数の異なる部分画像に分割し、
前記信号処理部において、
前記第１の処理部は、前記部分画像を対象として、前記部分画像を区分して得られるサブ領域の輝度に関する情報であるサブ領域情報を算出する前記第１のデータ処理を行い、
前記通信部は、前記第１の処理部の処理結果として得られた第１の前記サブ領域情報を、他の前記信号処理部に送信するとともに、他の前記信号処理部から、他の前記部分画像を対象として算出された第２の前記サブ領域情報を受信し、
前記取得部は、前記第１の処理部により算出された前記第１のサブ領域情報、及び前記通信部により受信された前記第２のサブ領域情報を、前記入力画像に前記第１のデータ処理を施したときに得られる第３のサブ領域情報として取得し、
前記第２の処理部は、前記取得部により取得された前記第３のサブ領域情報を対象として、前記部分画像の表示用に点灯する、バックライトの一部を制御させるためのバックライトデータを生成する前記第２のデータ処理を行う
請求項２に記載の信号処理装置。
【請求項７】
分割部と、複数の信号処理部とを含む信号処理装置の信号処理方法において、
前記分割部による、入力データを複数の異なる分割データに分割する分割ステップと、
前記信号処理部による、
前記分割データを対象として、第１のデータ処理を行う第1の処理ステップと、
前記第１の処理ステップによる第１の処理結果を、他の前記信号処理部に送信するとともに、他の前記信号処理部から送信された第２の処理結果を受信する通信ステップと
を含む信号処理方法。
【請求項８】
コンピュータを、
入力データを複数の異なる分割データに分割する分割部と、
複数の異なる前記分割データをそれぞれ処理する複数の信号処理部と
して機能させるためのプログラムであって、
前記信号処理部は、
前記分割データを対象として、第１のデータ処理を行う第1の処理部と、
前記第１の処理部による第１の処理結果を、他の前記信号処理部に送信するとともに、他の前記信号処理部から送信された第２の処理結果を受信する通信部と
を有する
プログラム。
【発明の詳細な説明】
【技術分野】
【０００１】
本開示は、信号処理装置、信号処理方法、及びプログラムに関し、特に、例えば、信号処理用のチップを大型化させることなく、より大きなデータ量の入力信号を処理できるようにした信号処理装置、信号処理方法、及びプログラムに関する。
【背景技術】
【０００２】
例えば、テレビジョン受像機等に内蔵された画像処理用のLSI(Large Scale Integration)では、テレビジョン受像機に入力される入力画像を、その入力画像の表示時刻までに処理するリアルタイム性が実現されている（例えば特許文献１参照）。【０００３】
現在、例えば、リアルタイム性を維持して、1920×1080画素の入力画像を表示するテレビジョン受像機が主流となっているが、将来的には、より高解像度の入力画像として、3840×2160画素や、4096×2160画素、7680×4320画素等の入力画像も採用される予定である。【０００４】
また、例えば、図１のA乃至図１のCに示されるように、画像処理の対象とされる入力画像の画素数が増加するほどに、LSIのチップサイズを大きくして、画像処理の処理能力を向上させる必要がある。【０００５】
すなわち、図１のA及び図１のBに示されるように、LSIに、2160×3840画素の入力画像を処理させる場合、1920×1080画素の入力画像を処理させる場合と比較して、４倍の画素数を処理しなければならない。【０００６】
この場合、リアルタイム性を維持するためには、LSIのチップサイズを約４倍の大きさにすることにより、処理能力を向上させる必要がある。【０００７】
また同様に、図１のA及び図１のCに示されるように、LSIに、7680×4320画素の入力画像を処理させる場合、1920×1080画素の入力画像を処理させる場合と比較して、１６倍の画素数を処理しなければならない。【０００８】
この場合、リアルタイム性を維持するためには、LSIのチップサイズを約１６倍の大きさにすることにより、処理能力をより向上させる必要がある。
【先行技術文献】
【特許文献】
【０００９】
【特許文献１】特開２０１１−１８０３３６号公報
【発明の概要】
【発明が解決しようとする課題】
【００１０】
上述のように、入力画像の解像度が増加するほど、比較的高価で大型のLSIを用いる必要が生じてしまう。【００１１】
このため、そのようなLSIを内蔵するテレビジョン受像機を製造する場合、テレビジョン受像機の製造コストが上昇してしまうとともに、大型のLSIを内蔵するための大きなスペースを、テレビジョン受像機内に確保しなければならず、現実的ではない。【００１２】
本開示は、このような状況に鑑みてなされたものであり、信号処理用のチップを大型化させることなく、より大きなデータ量の入力信号を処理できるようにするものである。
【課題を解決するための手段】
【００１３】
本開示の一側面の信号処理装置は、入力データを複数の異なる分割データに分割する分割部と、複数の異なる前記分割データをそれぞれ処理する複数の信号処理部とを含み、前記信号処理部は、前記分割データを対象として、第１のデータ処理を行う第1の処理部と、前記第１の処理部による第１の処理結果を、他の前記信号処理部に送信するとともに、他の前記信号処理部から送信された第２の処理結果を受信する通信部とを有する信号処理装置である。【００１４】
前記信号処理部では、前記第１の処理結果と前記第２の処理結果に基づいて、前記入力データに前記第１のデータ処理を施したときに得られる第３の処理結果を取得する取得部と、前記取得部により取得された前記第３の処理結果を対象として、前記第１のデータ処理とは異なる第２のデータ処理を行う第２の処理部とをさらに有するようにすることができる。【００１５】
前記通信部では、前記第１の処理結果の他、前記複数の信号処理部に反映させる設定内容を示す設定情報も、他の前記信号処理部に送信することができる。【００１６】
前記通信部では、前記設定情報を受信済みの他の前記信号処理部との間で、前記設定情報に基づく設定内容を反映させるタイミングを同期させることができる。【００１７】
前記通信部では、前記第１の処理結果を、他の前記信号処理部から受信済みの前記第２の処理結果とともに、さらに他の前記信号処理部に送信することができる。【００１８】
前記分割部は、前記入力データとして入力される入力画像を、複数の異なる部分画像に分割し、前記信号処理部において、前記第１の処理部は、前記部分画像を対象として、前記部分画像を区分して得られるサブ領域の輝度に関する情報であるサブ領域情報を算出する前記第１のデータ処理を行い、前記通信部は、前記第１の処理部の処理結果として得られた第１の前記サブ領域情報を、他の前記信号処理部に送信するとともに、他の前記信号処理部から、他の前記部分画像を対象として算出された第２の前記サブ領域情報を受信し、前記取得部は、前記第１の処理部により算出された前記第１のサブ領域情報、及び前記通信部により受信された前記第２のサブ領域情報を、前記入力画像に前記第１のデータ処理を施したときに得られる第３のサブ領域情報として取得し、前記第２の処理部は、前記取得部により取得された前記第３のサブ領域情報を対象として、前記部分画像の表示用に点灯する、バックライトの一部を制御させるためのバックライトデータを生成する前記第２のデータ処理を行うことができる。【００１９】
本開示の一側面の信号処理方法は、分割部と、複数の信号処理部とを含む信号処理装置の信号処理方法であって、前記分割部による、入力データを複数の異なる分割データに分割する分割ステップと、前記信号処理部による、前記分割データを対象として、第１のデータ処理を行う第1の処理ステップと、前記第１の処理ステップによる第１の処理結果を、他の前記信号処理部に送信するとともに、他の前記信号処理部から送信された第２の処理結果を受信する通信ステップとを含む信号処理方法である。【００２０】
本開示の一側面のプログラムは、コンピュータを、入力データを複数の異なる分割データに分割する分割部と、複数の異なる前記分割データをそれぞれ処理する複数の信号処理部として機能させるためのプログラムであって、前記信号処理部は、前記分割データを対象として、第１のデータ処理を行う第1の処理部と、前記第１の処理部による第１の処理結果を、他の前記信号処理部に送信するとともに、他の前記信号処理部から送信された第２の処理結果を受信する通信部とを有するプログラムである。【００２１】
本開示によれば、入力データが複数の異なる分割データに分割され、前記分割データを対象として、第１のデータ処理が行われ、その処理結果が、他の前記信号処理部に送信されるとともに、他の前記信号処理部から送信された処理結果が受信される。
【発明の効果】
【００２２】
本開示によれば、信号処理用のチップを大型化させることなく、より大きなデータ量の入力信号を処理することが可能となる。
【図面の簡単な説明】
【００２３】
【図１】処理対象のデータ量に応じてLSIのチップサイズが拡大する一例を示す図である。
【図２】本開示におけるテレビジョン受像機の構成例を示すブロック図である。
【図３】複数のLSIを設ける理由を説明するための第１の図である。
【図４】複数のLSIを設ける理由を説明するための第２の図である。
【図５】２個のLSIを設けたときの一例を示すブロック図である。
【図６】２個のLSIの詳細な構成例を示すブロック図である。
【図７】図６のブロック統計部の詳細な構成例を示すブロック図である。
【図８】図６のブロック統計部が行う処理のタイミングの一例を示す図である。
【図９】テレビジョン受像機が行う部分駆動処理を説明するためのフローチャートである。
【図１０】図９のステップＳ２２におけるブロック統計処理の詳細を説明するためのフローチャートである。
【図１１】マイコンが、LSIのレジスタの状態を変更するときの一例を示す図である。
【図１２】LSI間で行われる通信を利用して、レジスタの状態を変更するときの一例を示す図である。
【図１３】４個のLSIを設けたときの一例を示すブロック図である。
【図１４】図１３のLSIが行う処理のタイミングの一例を示す図である。
【図１５】コンピュータのハードウェアの構成例を示すブロック図である。
【発明を実施するための形態】
【００２４】
以下、本開示における実施の形態（以下、本実施の形態という）について説明する。なお、説明は以下の順序で行う。
１．本実施の形態（複数のLSIを設けたテレビジョン受像機の一例）
２．変形例
【００２５】
＜１．本実施の形態＞
[テレビジョン受像機２１の構成例]
図２は、本実施の形態であるテレビジョン受像機２１の構成例を示している。
【００２６】
このテレビジョン受像機２１は、分割部４１、LSI(Large Scale Integration)４２1及び４２2、バックライト４３a及び液晶パネル４３bを有する表示部４３、マイクロコンピュータ（以下、マイコンという）４４、並びに操作部４５から構成される。
【００２７】
なお、テレビジョン受像機２１において、LSI４２1として、例えばFPGA(Field Programmable Gate Array)等を用いることができる。このことは、LSI４２2についても同様である。
【００２８】
また、テレビジョン受像機２１において、分割部４１には、図示せぬアンテナ等から受信したコンテンツとしての画像信号や、図示せぬ再生装置等から画像信号が供給される。
【００２９】
分割部４１は、供給される画像信号を、複数の部分信号に分割する。すなわち、例えば、分割部４１は、供給される画像信号が表す入力画像を、入力画像の右側の1/2の領域を表す半分画像Rと、入力画像の左側の1/2の領域を表す半分画像Lに分割する。
【００３０】
なお、本実施の形態では、分割部４１は、入力画像を、いずれも同じ大きさの半分画像R及び半分画像Rに分割するようにしたが、異なる大きさの半分画像R及び半分画像Lに分割するようにしてもよい。
【００３１】
また、分割部４１は、入力画像を、２枚の部分画像として、半分画像Rと半分画像Lに分割したが、３枚以上の部分画像に分割するようにしてもよい。例えば、部分画像として、入力画像が４枚の1/4画像に分割される場合については、図１３を参照して説明する。
【００３２】
そして、分割部４１は、分割により得られた半分画像Rを、LSI４２１に供給するとともに、同じく分割により得られた半分画像Lを、LSI４２2に供給する。
【００３３】
LSI４２1は、分割部４１からの半分画像Rに基づいて、半分画像Rを構成する各サブ領域rについてのサブ領域情報S(r)を算出し、LSI４２2に送信する。
【００３４】
ここで、サブ領域情報S(r)とは、サブ領域rを構成する各画素の輝度に関する情報であり、例えば、サブ領域rを構成する各画素の最大輝度、平均輝度、輝度の分布（例えば、輝度のヒストグラム）、及び輝度の重心等を含む情報を表す。
【００３５】
また、LSI４２1は、LSI４２2からのサブ領域情報S(l)を受信し、受信したサブ領域情報S(l)と、算出済みのサブ領域情報S(r)に基づいて、半分画像R用のバックライトデータ及び液晶信号を生成する。
【００３６】
そして、LSI４２1は、生成した半分画像R用のバックライトデータを、バックライト４３aに供給することにより、半分画像Rを出力させるために必要なバックライト４３aの制御を行う。
【００３７】
また、LSI４２1は、生成した半分画像R用の液晶信号を、液晶パネル４３bに供給することにより、半分画像Rを出力させるために必要な液晶パネル４３bの制御を行う。
【００３８】
LSI４２2は、分割部４１からの半分画像Lに基づいて、半分画像Lを構成する各サブ領域lについてのサブ領域情報S(l)を算出し、LSI４２1に送信する。
【００３９】
また、LSI４２2は、LSI４２1からのサブ領域情報S(r)を受信し、受信したサブ領域情報S(r)と、算出済みのサブ領域情報S(l)に基づいて、半分画像L用のバックライトデータ及び液晶信号を生成する。
【００４０】
そして、LSI４２2は、生成した半分画像L用のバックライトデータを、バックライト４３aに供給することにより、半分画像Lを出力させるために必要なバックライト４３aの制御を行う。
【００４１】
また、LSI４２2は、生成した半分画像L用の液晶信号を、液晶パネル４３bに供給することにより、半分画像Lを出力させるために必要な液晶パネル４３bの制御を行う。
【００４２】
表示部４３は、バックライト４３a及び液晶パネル４３bを有する。
【００４３】
バックライト４３aは、例えば複数のLED(Light Emitting Diode)から構成されており、LSI４２1及びLSI４２2からの制御にしたがって点灯又は消灯する。
【００４４】
すなわち、例えば、バックライト４３aを構成する複数のLEDのうち、半分画像Rを出力する際に点灯されるLEDは、LSI４２1からの制御にしたがって点灯し、半分画像Lを出力する際に点灯されるLEDは、LSI４２2からの制御にしたがって点灯する。
【００４５】
液晶パネル４３bは、LSI４２1及びLSI４２2からの制御にしたがって、バックライト４３aからの光を透過させる透過率を変更する。
【００４６】
すなわち、例えば、液晶パネル４３bにおいて、半分画像Rを出力する際に変更される液晶の透過率は、LSI４２1からの制御にしたがって変更され、半分画像Lを出力する際に変更される液晶の透過率は、LSI４２2からの制御にしたがって変更される。
【００４７】
そして、液晶パネル４３bは、変更後の透過率で、バックライト４３aからの光を透過させることにより、半分画像R及び半分画像Lから構成される入力画像としての光を出力する。
【００４８】
マイコン４４は、例えば、操作部４５からの操作信号に基づいて、分割部４１、LSI４２1及びLSI４２2等を制御する。
【００４９】
すなわち、例えば、マイコン４４は、LSI４２1及びLSI４２2を制御して、それぞれのレジスタの設定などを変更させる。
【００５０】
ここで、例えば、LSI４２1のレジスタとは、LSI４２1の動作状態を設定するためのパラメータを表す。
【００５１】
なお、マイコン４４が行うレジスタの変更については、図１１及び図１２を参照して詳述する。
【００５２】
操作部４５は、ユーザにより操作される操作ボタン等であり、ユーザの操作に応じて、ユーザの操作に対応する操作信号を、マイコン４４に供給する。
【００５３】
次に、図３及び図４を参照して、テレビジョン受像機２１に、１個のLSIではなく、複数のLSIとして、例えば２個のLSI４２1及びLSI４２2を設ける理由を説明する。
【００５４】
図３は、１個のLSI４２が、バックライト４３a及び液晶パネル４３bを制御するときの一例を示している。
【００５５】
例えば、テレビジョン受像機２１において、２個のLSI４２1及びLSI４２2ではなく、１個のLSI４２を設けた場合を考える。
【００５６】
この場合、LSI４２は、図４に示されるように、テレビジョン受像機２１に入力される入力画像を、例えば横×縦が１２×６個である７２個のサブ領域に区分するブロック化を行う。
【００５７】
また、LSI４２は、ブロック化により得られた７２個のサブ領域から、それぞれ、サブ領域情報S(r)及びS(l)を算出する。
【００５８】
そして、LSI４２は、算出したサブ領域情報S(r)及びS(l)に基づいて、入力画像用のバックライトデータ、及び入力画像用の液晶信号を生成することとなる。
【００５９】
ここで、入力画像のサイズ（データ量）が比較的大きい場合、LSI４２の処理能力によっては、サブ領域情報S(r)及びS(l)を算出するのに多くの処理時間が必要となることが生じてしまい、テレビジョン受像機２１のリアルタイム性を維持することができない。
【００６０】
そこで、テレビジョン受像機２１では、例えば、２個のLSI４２1及びLSI４２2を設けることにより、入力画像のサイズが比較的大きい場合でも、速やかに、バックライト４３a及び液晶パネル４３bを制御できるようにしている。
【００６１】
このため、テレビジョン受像機２１は、比較的小型のLSI４２1及びLSI４２2を用いつつ、テレビジョン受像機２１のリアルタイム性を維持できる。
【００６２】
次に、図５は、２個のLSI４２1及びLSI４２2を設けたときの一例を示している。
【００６３】
テレビジョン受像機２１において、図５に示されるように、２個のLSI４２1及びLSI４２2を設けた場合、入力画像からサブ領域情報S(r)及びS(l)を算出する処理を、LSI４２1とLSI４２2とで分散させることができる。
【００６４】
すなわち、例えば、LSI４２1には、入力画像を構成する半分画像R及びLのうち、半分画像Rが供給され、LSI４２2には、半分画像Lが供給される。
【００６５】
そして、LSI４２1は、供給される半分画像Rからサブ領域情報S(r)を算出し、LSI４２2は、供給される半分画像Lからサブ領域情報S(l)を算出する。
【００６６】
このため、例えば、１個のLSI４２が、入力画像からサブ領域情報S(r)及びS(l)を算出する場合と比較して、より迅速にサブ領域情報S(r)及びS(l)を算出できるようになる。
【００６７】
しかしながら、LSI４２1には、半分画像Rのみが供給され、半分画像Lは供給されない。このため、LSI４２1は、図５上側に示されるように、半分画像Lから算出されるサブ領域情報S(l)を取得することができない。
【００６８】
また、同様にして、LSI４２2には、半分画像Lのみが供給され、半分画像Rは供給されない。このため、LSI４２2は、図５下側に示されるように、半分画像Rから算出されるサブ領域情報S(r)を取得することができない。
【００６９】
LSI４２1が、半分画像R用のバックライトデータを生成する場合、半分画像Rから算出されるサブ領域情報S(r)の他、半分画像Lから算出されるサブ領域情報S(l)も必要とされる。
【００７０】
これは、バックライト４３aを構成する各LEDからは、光が拡散して出力されるため、その光の拡散も考慮してバックライトデータを生成する必要があることによる。
【００７１】
すなわち、LSI４２1は、バックライト４３aを構成する複数のLEDのうち、半分画像R用に点灯するLEDの他、半分画像L用に点灯するLEDも考慮して、半分画像R用のバックライトデータを生成しなければならない。このことは、LSI４２1が、半分画像R用の液晶信号を生成する場合でも同様である。
【００７２】
同様にして、LSI４２2が、半分画像L用のバックライトデータを生成する場合、半分画像Lから算出されるサブ領域情報S(l)の他、半分画像Rから算出されるサブ領域情報S(r)も必要とされる。
【００７３】
そこで、LSI４２1とLSI４２2は、それぞれ算出したサブ領域情報を、互いに送受信することにより、自らでは算出できないサブ領域情報を取得するようにしている。
【００７４】
次に、図６は、互いに算出したサブ領域情報を送受信するLSI４２1及びLSI４２2の詳細な構成例を示している。
【００７５】
LSI４２1は、ブロック統計部６１1、BL強度決定部６２1、BL制御部６３1、拡散光量計算部６４1、及び補正部６５1から構成される。
【００７６】
また、LSI４２2は、LSI４２1と同様に、ブロック統計部６１2、BL強度決定部６２2、BL制御部６３2、拡散光量計算部６４2、及び補正部６５2から構成されている。
【００７７】
なお、以下では、LSI４２1のブロック統計部６１1乃至補正部６５1と、LSI４２2のブロック統計部６１2乃至補正部６５2をそれぞれ区別する必要がない場合、単に、ブロック統計部６１乃至補正部６５という。
【００７８】
ブロック統計部６１には、分割部４１から半分画像が供給される。ブロック統計部６１は、分割部４１からの半分画像を構成する各サブ領域から、それぞれ、サブ領域情報を算出する。
【００７９】
そして、ブロック統計部６１は、算出したサブ領域情報を互いに送受信することにより、入力画像から算出されるサブ領域情報の全てを取得する。
【００８０】
すなわち、例えば、ブロック統計部６１1は、算出したサブ領域情報S(r)を、ブロック統計部６１2に送信し、ブロック統計部６１2から送信されるサブ領域情報S(l)を受信する。
【００８１】
また、例えば、ブロック統計部６１2は、算出したサブ領域情報S(l)を、ブロック統計部６１1に送信し、ブロック統計部６１1から送信されるサブ領域情報S(r)を受信する。
【００８２】
これにより、ブロック統計部６１1及びブロック統計部６１2は、入力画像から算出されるサブ領域情報S(l)及びS(r)を取得することができる。
【００８３】
そして、ブロック統計部６１は、取得したサブ領域情報S(l)及びS(r)を、BL強度決定部６２に供給する。
【００８４】
BL強度決定部６２は、ブロック統計部６１からのサブ領域情報S(l)及びS(r)に基づいて、半分画像を出力する際のバックライト４３aの明るさを制御するためのバックライトデータBLを生成し、BL制御部６３及び拡散光量計算部６４に供給する。
【００８５】
すなわち、例えば、BL強度決定部６２1は、ブロック統計部６１1からのサブ領域情報S(l)及びS(r)に基づいて、半分画像Rを出力する際のバックライトデータBLRを生成し、BL制御部６３1及び拡散光量計算部６４1に供給する。
【００８６】
また、例えば、BL強度決定部６２2は、ブロック統計部６１2からのサブ領域情報S(l)及びS(r)に基づいて、半分画像Lを出力する際のバックライトデータBLLを生成し、BL制御部６３2及び拡散光量計算部６４2に供給する。
【００８７】
BL制御部６３は、BL強度決定部６２からのバックライトデータBLに基づいて、バックライト４３aを構成する複数のLEDのうち、半分画像を出力させる際に用いるLEDの明るさを制御する。
【００８８】
すなわち、例えば、BL制御部６３1は、BL強度決定部６２1からのバックライトデータBLRに基づいて、バックライト４３aを構成する複数のLEDのうち、右側に配置されたLED(半分画像Rを出力させる際に用いるLED)の明るさを制御する。
【００８９】
また、例えば、BL制御部６３2は、BL強度決定部６２2からのバックライトデータBLLに基づいて、バックライト４３aを構成する複数のLEDのうち、左側に配置されたLED(半分画像Lを出力させる際に用いるLED)の明るさを制御する。
【００９０】
拡散光量計算部６４は、BL強度決定部６２からのバックライトデータBLに基づいて、バックライト４３aを構成する各LEDからの光の拡散の程度を計算（算出）し、その計算結果を、補正部６５に供給する。
【００９１】
すなわち、例えば、拡散光量計算部６４1は、BL強度決定部６２1からのバックライトデータBLRに基づいて、半分画像Rを出力時のバックライト４３aからの光の拡散の程度を計算（算出）し、その計算結果を、補正部６５1に供給する。
【００９２】
また、例えば、拡散光量計算部６４2は、BL強度決定部６２2からのバックライトデータBLLに基づいて、半分画像Lを出力時のバックライト４３aからの光の拡散の程度を計算（算出）し、その計算結果を、補正部６５2に供給する。
【００９３】
補正部６５には、ブロック統計部６１に半分画像が供給されるタイミングから遅延して、ブロック統計部６１に供給されたものと同一の半分画像が、分割部４１から供給される。
【００９４】
補正部６５は、拡散光量計算部６４からの計算結果に基づいて、分割部４１から供給される半分画像を、その半分画像用の液晶信号に補正する。なお、半分画像用の液晶信号とは、半分画像を出力する際に変更される液晶パネル４３bの透過率を制御するための信号を表す。
【００９５】
そして、補正部６５は、補正により得られた半分画像用の液晶信号を、液晶パネル４３bに供給することにより、液晶パネル４３bの透過率を制御し、バックライト４３aからの光を、制御後の透過率で透過させることにより、透過光としての半分画像を出力させる。
【００９６】
すなわち、例えば、補正部６５1は、拡散光量計算部６４1からの計算結果に基づいて、分割部４１から供給される半分画像Rを、半分画像R用の液晶信号PRに補正する。そして、補正部６５1は、半分画像R用の液晶信号PRを、液晶パネル４３bに供給することにより、液晶パネル４３bの透過率を制御し、バックライト４３aからの光を、制御後の透過率で透過させることにより、透過光としての半分画像Rを出力させる。
【００９７】
また、例えば、補正部６５2は、拡散光量計算部６４2からの計算結果に基づいて、分割部４１から供給される半分画像Lを、半分画像L用の液晶信号PLに補正する。そして、補正部６５2は、半分画像L用の液晶信号PLを、液晶パネル４３bに供給することにより、液晶パネル４３bの透過率を制御し、バックライト４３aからの光を、制御後の透過率で透過させることにより、透過光としての半分画像Lを出力させる。
【００９８】
次に、図７は、ブロック統計部６１1及び６１2の詳細な構成例を示している。
【００９９】
ブロック統計部６１1は、SRAM８１a1を内蔵する算出部８１1、SPI(Serial Parallel Interface)８２1、SRAM８３1、及びSRAM８４a1を内蔵する統合部８４1から構成される。
【０１００】
また、ブロック統計部６１2は、ブロック統計部６１1と同様に、SRAM８１a2を内蔵する算出部８１2、SPI８２2、SRAM８３2、及びSRAM８４a2を内蔵する統合部８４2から構成される。
【０１０１】
算出部８１1は、分割部４１からの半分画像Rを、例えば、６×６（=３６）個の各サブ領域r1乃至r36に区分するブロック化を行う。
【０１０２】
そして、算出部８１1は、そのブロック化により得られる各サブ領域r1乃至r36から、それぞれ、サブ領域情報S(r1)乃至S(r36)を算出し、内蔵するSRAM８１a1に供給して保持させる。
【０１０３】
また、算出部８１1は、SRAM８１a1から、サブ領域情報S(r1)乃至S(r36)を読み出し、SPI８２1及び統合部８４1に供給する。
【０１０４】
なお、ブロック統計部６１2の算出部８１2は、算出部８１1と同様の処理を行い、内蔵するSRAM８１a2から、サブ領域情報S(l1)乃至S(l36)を読み出し、SPI８２2及び統合部８４2に供給する。
【０１０５】
SPI８２1は、算出部８１1からのサブ領域情報S(r1)乃至S(r36)を、SPI８２2に送信するとともに、SPI８２2からのサブ領域情報S(l1)乃至S(l36)を受信し、SRAM８３1に供給して保持させる。
【０１０６】
なお、ブロック統計部６１2のSPI８２2は、SPI８２1と同様にして、算出部８１2からのサブ領域情報S(l1)乃至S(l36)を、SPI８２1に送信するとともに、SPI８２1からのサブ領域情報S(r1)乃至S(r36)を受信し、SRAM８３2に供給して保持させる。
【０１０７】
SRAM８３1は、SPI８１1からのサブ領域情報S(l1)乃至S(l36)を保持し、統合部８４1からの読み出し指示に応じて、保持しているサブ領域情報S(l1)乃至S(l36)を、統合部８４1に出力する。
【０１０８】
なお、ブロック統計部６１2のSRAM８３2は、SRAM８３1と同様にして、SPI８１2からのサブ領域情報S(r1)乃至S(r36)を保持し、統合部８４2からの読み出し指示に応じて、保持しているサブ領域情報S(r1)乃至S(r36)を、統合部８４2に出力する。
【０１０９】
統合部８４1は、算出部８１1からのサブ領域情報S(r1)乃至S(r36)を、内蔵するSRAM８４a1に供給して保持させる。また、統合部８４1は、SRAM８３1に保持されたサブ領域情報S(l1)乃至S(l36)を読み出し、内蔵するSRAM８４a1に供給して保持させる。
【０１１０】
そして、統合部８４1は、内蔵するSRAM８４a1に保持されたサブ領域情報S(r1)乃至S(r36)及びS(l1)乃至S(l36)を、入力画像から算出されるサブ領域情報として、BL強度決定部６２1に供給する。
【０１１１】
ところで、統合部８４1は、サブ領域情報S(r1)乃至S(r36)及びS(l1)乃至S(l36)に基づいて、入力画像を構成する全領域内の最大輝度、平均輝度、及び輝度の分布等を含む全体領域情報も算出し、BL強度決定部６２1に供給してもよい。
【０１１２】
この場合、BL強度決定部６２1は、統合部８４1からのサブ領域情報S(r1)乃至S(r36)及びS(l1)乃至S(l36)の他、全体領域情報にも基づいて、半分画像R用のバックライトデータを算出することとなる。
【０１１３】
なお、ブロック統計部６１2の統合部８４2は、統合部８４1と同様にして、内蔵するSRAM８４a2に保持されたサブ領域情報S(r1)乃至S(r36)及びS(l1)乃至S(l36)を、入力画像から算出されるサブ領域情報として、BL強度決定部６２2に供給する。
【０１１４】
次に、図８は、ブロック統計部６１1とブロック統計部６１2が行う処理のタイミングの一例を示している。
【０１１５】
例えば、図８のA左側に示されるように、テレビジョン受像機２１の分割部４１に、１フレーム目の入力画像Aが入力されると、分割部４１は、入力画像Aを、半分画像Rと半分画像Lに分割する。
【０１１６】
また、分割部４１は、分割により得られた半分画像Rをブロック統計部６１1に、同じく分割により得られた半分画像Lをブロック統計部６１2に供給する。
【０１１７】
そして、ブロック統計部６１1及び６１2は、図８のB左側に示されるように、入力画像Aを各サブ領域r1乃至r36及びl1乃至l36にブロック化する。そして、ブロック統計部６１1及び６１2は、そのブロック化により得られる各サブ領域r1乃至r36及びl1乃至l36から、サブ領域情報S(r1)乃至S(r36)及びS(l1)乃至S(l36)を算出する。
【０１１８】
すなわち、ブロック統計部６１1は、半分画像Rをブロック化し、そのブロック化により得られる各サブ領域r1乃至r36から、サブ領域情報S(r1)乃至S(r36)を算出する。
【０１１９】
また、ブロック統計部６１2は、同様にして、半分画像Lをブロック化し、そのブロック化により得られる各サブ領域l1乃至l36から、サブ領域情報S(l1)乃至S(l36)を算出する。
【０１２０】
そして、図８のC左側に示されるような通信期間で、ブロック統計部６１1とブロック統計部６１2は、互いに、相手方のサブ領域情報を取得するための通信を行う。これにより、ブロック統計部６１1とブロック統計部６１2は、入力画像Aから算出されるサブ領域情報S(r1)乃至S(r36)及びS(l1)乃至S(l36)を取得する。
【０１２１】
なお、この通信は、例えば、入力画像を表示してから次の入力画像を表示するまでの垂直ブランキング期間内に行われる。
【０１２２】
また、図８のC左側に示される通信の終了後、ブロック統計部６１1は、入力画像から算出されるサブ領域情報を、BL強度決定部６２1に供給するとともに、ブロック統計部６１2は、入力画像から算出されるサブ領域情報を、BL強度決定部６２2に供給する。
【０１２３】
そして、垂直ブランキング期間の終了後、図８のD右側に示される後段処理Aとして、LSI４２1のBL強度決定部６２1乃至補正部６５1による処理、及びLSI４２1のBL強度決定部６２2乃至補正部６５2による処理が行われ、入力画像Aが表示される。
【０１２４】
また、図８のA右側に示されるように、テレビジョン受像機２１の分割部４１に、２フレーム目の入力画像Bが入力されると、１フレーム目の入力画像Aが入力されたときと同様の処理が行われ、３フレーム目以降の入力画像についても、同様の処理が繰り返される。
【０１２５】
すなわち、入力画像Bに対しては、図８のB右側に示されるブロック化、及び図８のC右側に示される通信等の処理が行われる。
【０１２６】
[テレビジョン受像機２１の動作説明]
次に、図９のフローチャートを参照して、テレビジョン受像機２１が行う部分駆動処理について説明する。
【０１２７】
この部分駆動処理は、例えば、テレビジョン受像機２１の電源がオンされたときに開始される。このとき、テレビジョン受像機２１の分割部４１には、図示せぬアンテナ等で受信された入力画像が入力される。
【０１２８】
ステップＳ２１では、分割部４１は、そこに入力される入力画像を、例えば半分画像Rと半分画像Lに分割し、半分画像RをLSI４２1のブロック統計部６１1に、半分画像LをLSI４２2のブロック統計部６１2に、それぞれ供給する。
【０１２９】
ステップＳ２２では、ブロック統計部６１1は、半分画像Rから算出されるサブ領域情報S(r)と、半分画像Lから算出されるサブ領域情報S(l)とを統合して、入力画像から算出されるサブ領域情報S(r)及びS(l)を取得するブロック統計処理を行う。このブロック統計処理の詳細は、図１０のフローチャートを参照して詳述する。
【０１３０】
また、ステップＳ２２では、ブロック統計部６１2は、ブロック統計部６１1と同様のブロック統計処理を行う。
【０１３１】
ステップＳ２３では、BL強度決定部６２は、ブロック統計部６１からのサブ領域情報S(l)及びS(r)に基づいて、半分画像を出力するときのバックライトの明るさを制御するためのバックライトデータBLを生成し、BL制御部６３及び拡散光量計算部６４に供給する。
【０１３２】
ステップＳ２４では、BL制御部６３は、BL強度決定部６２からのバックライトデータBLに基づいて、バックライト４３aを構成する複数のLEDのうち、半分画像を出力させる際に発光させるLEDの明るさを制御する。
【０１３３】
ステップＳ２５では、拡散光量計算部６４は、BL強度決定部６２からのバックライトデータBLに基づいて、バックライト４３aからの光の拡散の程度を計算（算出）し、その計算結果を、補正部６５に供給する。
【０１３４】
ステップＳ２６では、補正部６５は、拡散光量計算部６４からの計算結果に基づいて、分割部４１から供給される半分画像を補正することにより、半分画像用の液晶信号を生成する。
【０１３５】
ステップＳ２７では、補正部６５は、補正により得られた半分画像用の液晶信号を、液晶パネル４３bに供給することにより、液晶パネル４３bの透過率を制御し、バックライト４３aからの光を、制御後の透過率で透過させることにより、透過光としての半分画像を出力させる。
【０１３６】
そして、分割部４１に新たな入力画像が供給されると、処理はステップＳ２１に戻り、それ以降同様の処理が行われる。なお、この部分駆動処理は、テレビジョン受像機２１の電源がオフされたとき等に終了される。
【０１３７】
[ブロック統計処理の詳細]
次に、図１０のフローチャートを参照して、図９のステップＳ２２におけるブロック統計処理の詳細について説明する。
【０１３８】
なお、ブロック統計部６１1とブロック統計部６１2は、それぞれ、同様のブロック統計処理を行う。したがって、図１０では、ブロック統計部６１1が行うブロック統計処理のみを説明し、ブロック統計部６１2が行うブロック統計処理の説明を省略する。
【０１３９】
ステップＳ４１では、ブロック統計部６１1の算出部８１1は、分割部４１からの半分画像Rをブロック化し、例えば、６×６（=３６）個の各サブ領域r1乃至r36に区分する。
【０１４０】
ステップＳ４２では、算出部８１1は、そのブロック化により得られる各サブ領域r1乃至r36から、それぞれ、サブ領域情報S(r1)乃至S(r36)を算出し、内蔵するSRAM８１a1に供給して保持させる。
【０１４１】
また、算出部８１1は、SRAM８１a1から、サブ領域情報S(r1)乃至S(r36)を読み出し、SPI８２1及び統合部８４1に供給する。
【０１４２】
ステップＳ４３では、ブロック統計部６１1のSPI８２1は、算出部８１1からのサブ領域情報S(r1)乃至S(r36)を、他のブロック統計部６１2のSPI８２2に送信する。
【０１４３】
ステップＳ４４では、ブロック統計部６１1のSPI８２1は、他のブロック統計部６１2のSPI８２2からのサブ領域情報S(l1)乃至S(l36)を受信し、SRAM８３1に供給して保持させる。
【０１４４】
ステップＳ４５では、ブロック統計部６１1の統合部８４1は、算出部８１1からのサブ領域情報S(r1)乃至S(r36)を、内蔵するSRAM８４a1に供給して保持させる。また、統合部８４1は、SRAM８３1に保持されたサブ領域情報S(l1)乃至S(l36)を読み出し、内蔵するSRAM８４a1に供給して保持させる。
【０１４５】
そして、統合部８４1は、内蔵するSRAM８４a1に保持されたサブ領域情報S(r1)乃至S(r36)及びS(l1)乃至S(l36)を、入力画像から算出されるサブ領域情報として取得し、BL強度決定部６２1に供給し、処理は、図９のステップＳ２２にリターンされる。
【０１４６】
以上説明したように、図９の部分駆動処理によれば、２個のLSI４２1及びLSI４２2を用いて処理を分散させるようにしたので、１個のLSI４２1（又はLSI４２2）にかかる負荷を軽減できる。
【０１４７】
このため、入力画像のサイズが大であるときでも、小型のLSI４２1及びLSI４２2を用いて、速やかにバックライト４３a及び液晶パネル４３bを制御することができる。
【０１４８】
また、比較的高価で大型のLSIを用いる必要がないので、テレビジョン受像機２１の製造コストを低減させることができる。さらに、テレビジョン受像機２１の製造時に、大型のLSIを内蔵するための大きなスペースを設ける必要がないので、大型のLSIを内蔵するテレビジョン受像機を製造する場合と比較して、より容易にテレビジョン受像機２１を製造することができる。
【０１４９】
次に、図１１及び図１２を参照して、マイコン４４が、LSI４２1とLSI４２2のレジスタの状態を変更する場合について説明する。
【０１５０】
次に、図１１は、マイコン４４が、LSI４２1とLSI４２2を個別に制御して、それぞれのレジスタの状態を変更するときの一例を示している。
【０１５１】
図１１のAには、マイコン４４が、LSI４２1とLSI４２2を個別に制御して、それぞれのレジスタの状態を、状態Aから状態Bに変更させる様子が示されている。
【０１５２】
図１１のB上側には、LSI４２1が、垂直同期信号において、左から３番目の立ち上がりエッジが生じるタイミングで、レジスタの状態Aを状態Bに変更する様子が示されている。
【０１５３】
また、図１１のB下側には、LSI４２2が、垂直同期信号において、左から２番目の立ち上がりエッジが生じるタイミングで、レジスタの状態Aを状態Bに変更する様子が示されている。
【０１５４】
なお、垂直同期信号は、例えば、マイコン４４からLSI４２1及びLSI４２2に供給される。
【０１５５】
例えば、マイコン４４が、左から２番目の立ち上がりエッジが生じる直前に、レジスタ変更情報をLSI４２2に供給した場合、LSI４２2は、図１１のB下側に示されるように、左から２番目の立ち上がりエッジが生じるタイミングに同期して、レジスタの状態Aを状態Bに変更する。
【０１５６】
ここで、レジスタ変更情報とは、例えば、レジスタの状態Aを状態Bに変更させるための情報をいう。
【０１５７】
また、例えば、マイコン４４が、左から２番目の立ち上がりエッジが生じた直後に、レジスタ変更情報をLSI４２1に供給した場合、LSI４２1は、図１１のB上側に示されるように、左から３番目の立ち上がりエッジが生じるタイミングに同期して、レジスタの状態Aを状態Bに変更する。
【０１５８】
これは、LSI４２1及びLSI４２2では、一般的に、垂直同期信号において、立ち上がりエッジが生じるタイミングで、レジスタの状態を変更することによる。
【０１５９】
マイコン４４が、レジスタ変更情報を、LSI４２1とLSI４２2に個別に供給して、レジスタを変更させる場合、図１１のB上側及び図１１のB下側に示されるように、LSI４２1とLSI４２2とのレジスタの状態を、同じタイミングで変更できないことが生じ得る。
【０１６０】
そこで、マイコン４４は、例えば、１個のLSI４２1のみにレジスタ変更情報を供給し、LSI４２1は、マイコン４４からのレジスタ変更情報を、半分画像Rから算出したサブ領域情報S(r1)乃至S(r36)とともに、LSI４２2に送信する。
【０１６１】
そして、LSI４２1とLSI４２2は、次の通信の際に、レジスタ変更情報に基づく変更を反映させるタイミングを同期することが望ましい。
【０１６２】
次に、図１２は、マイコン４４が、１個のLSI４２1のみにレジスタ変更情報を供給することにより、２個のLSI４２1及びLSI４２2のレジスタの状態を変更するときの一例を示している。
【０１６３】
図１２のAには、マイコン４４が、LSI４２1のみにレジスタ変更情報を供給し、LSI４２1は、マイコン４４からのレジスタ変更情報をLSI４２2に送信する様子が示されている。
【０１６４】
図１２のBには、マイコン４４からレジスタ変更情報を取得済みのLSI４２1と、LSI４２1からレジスタ変更情報を受信済みのLSI４２2とが、同一のタイミングで、レジスタ変更情報を反映することにより、レジスタの状態Cを状態Dに変更する様子が示されている。
【０１６５】
例えば、LSI４２1は、マイコン４４からのレジスタ変更情報を、サブ領域情報とともに、LSI４２2に送信する。
【０１６６】
そして、LSI４２1及びLSI４２2は、それぞれ、LSI４２1とLSI４２2間の通信により同期したタイミング（左から２番目の立ち上がりエッジが生じるタイミング）で、レジスタ変更情報を反映する。
【０１６７】
図１２のBに示されるように、LSI４２1とLSI４２2との間で行われる通信により、レジスタ変更情報を反映させるタイミングの同期をとることにより、LSI４２1とLSI４２2は、同一のタイミングでレジスタを変更することが可能となる。
【０１６８】
また、本実施の形態では、テレビジョン受像機２１において、２個のLSI４２1及びLSI４２2を設けるようにしたが、３個以上のLSIを設けるようにすることができる。
【０１６９】
次に、図１３は、テレビジョン受像機２１において、４個のLSI４２a乃至４２dを設けるようにしたときの一例を示している。
【０１７０】
なお、図１３には、テレビジョン受像機２１に設けられるLSI４２a乃至４２dのみを図示しており、その他のブロックの図示は省略している。
【０１７１】
例えば、図１３に示されるように、４個のLSI４２a乃至４２dを設けるようにした場合、分割部４１は、入力画像を例えば４等分し、その結果得られる４枚の1/4画像をそれぞれ、LSI４２a乃至４２dに供給する。
【０１７２】
LSI４２aは、供給された1/4画像を対象として、上述したLSI４２1及びLSI４２2と同様の処理を行い、1/4画像からサブ領域情報aを算出する。また、同様にして、LSI４２b，LSI４２c，LSI４２dは、それぞれ、サブ領域情報b,c,dを算出する。
【０１７３】
そして、図１３に示されるように、LSI４２a乃至４２dの間で行われる１回目の通信において、LSI４２aは、LSI４２bにサブ領域情報aを送信するとともに、LSI４２bからのサブ領域情報bを受信する。
【０１７４】
また、１回目の通信において、LSI４２cは、LSI４２dにサブ領域情報cを送信するとともに、LSI４２dからのサブ領域情報dを受信する。
【０１７５】
これにより、１回目の通信の終了後には、LSI４２a及びLSI４２bは、サブ領域情報a及びbを保持し、LSI４２c及びLSI４２dは、サブ領域情報c及びdを保持しているものとなる。
【０１７６】
さらに、図１３に示されるように、LSI４２a乃至４２dの間で行われる２回目の通信において、LSI４２aは、LSI４２cにサブ領域情報a及びbを送信するとともに、LSI４２cからのサブ領域情報c及びdを受信する。
【０１７７】
また、２回目の通信において、LSI４２bは、LSI４２dにサブ領域情報a及びbを送信するとともに、LSI４２dからのサブ領域情報c及びdを受信する。
【０１７８】
これにより、２回目の通信の終了後には、LSI４２a乃至４２dは、いずれも、サブ領域情報a乃至dを保持するものとなる。
【０１７９】
なお、図１３では、１回目の通信において、LSI４２aとLSI４２bが通信し、LSI４２cとLSI４２dが通信するようにした。また、２回目の通信において、LSI４２aとLSI４２cが通信し、LSI４２bとLSI４２dが通信するようにした。
【０１８０】
しかしながら、通信の回数や順番、通信するLSIどうしの組合せ等に限定されない。すなわち、例えば、１回目の通信において、LSI４２aとLSI４２cが通信し、LSI４２bとLSI４２dが通信するようにし、２回目の通信において、LSI４２aとLSI４２bが通信し、LSI４２cとLSI４２dが通信するようにしてもよい。
【０１８１】
また、例えば、LSIの個数は４個に限定されず、３回の通信を行うようにすれば、LSIの個数を８(=２3)個とする構成を採用することができる。さらに、例えば、同様にして、４回目の通信を行うようにすれば、LSIの個数を１６(=２4)個にすることができる。
【０１８２】
すなわち、N回の通信を行うようにすれば、LSIの個数を２N個とする構成を採用できる。
【０１８３】
次に、図１４は、図１３のLSI４２a乃至４２dが行う処理のタイミングの一例を示している。
【０１８４】
例えば、図１４のA左側に示されるように、テレビジョン受像機２１の分割部４１に、１フレーム目の入力画像Aが入力されると、分割部４１は、入力画像Aを、４枚の1/4画像に分割する。
【０１８５】
また、分割部４１は、分割により得られた４枚の1/4画像を、それぞれ、LSI４２a乃至４２dに供給する。
【０１８６】
そして、LSI４２a乃至４２dは、それぞれ、図１４のB左側に示されるように、1/4画像を各サブ領域にブロック化する。そして、LSI４２a乃至４２dは、そのブロック化により得られる各サブ領域から、サブ領域情報を算出する。
【０１８７】
その後、図１４のC左側に示されるような通信期間で、図１３に示した１回目の通信が、LSI４２a乃至４２dの間で行われる。また、図１４のD左側に示されるような通信期間で、図１３に示した２回目の通信が、LSI４２a乃至４２dの間で行われる。
【０１８８】
これにより、LSI４２a乃至４２dは、いずれも、入力画像から算出されるサブ領域情報と同一のサブ領域情報a乃至dを保持するものとなる。
【０１８９】
LSI４２a乃至４２dは、それぞれ、図１４のEに示されるように、２回目の通信の終了後に、保持しているサブ領域情報a乃至dを用いた後段処理Aを行う。
【０１９０】
なお、２フレーム目の入力画像Bについても、１フレーム目の入力画像Aと同様の処理が行われ、それ以降、同様の処理が繰り返される。
【０１９１】
＜２．変形例＞
本実施の形態では、LSI４２1及びLSI４２2を設けたテレビジョン受像機２１について説明したが、本開示は、その他、例えば、LSI４２1及びLSI４２2を設けた撮像装置等にも適用できる。すなわち、複数のLSIを設ける電子機器は、テレビジョン受像機２１に限定されない。
【０１９２】
また、本実施の形態では、例えば、LSI４２1が、半分画像Rの表示を制御するとともに、LSI４２2が、半分画像Lの表示を制御するようにしたが、その他、例えば、LSI４２1及びLSI４２2が行う処理は、これに限定されない。
【０１９３】
すなわち、例えば、LSI４２1及びLSI４２2は、入力画像から得られる情報全てを用いて行う処理であれば、どのような処理も行うことができる。また、処理対象も入力画像に限定されず、音声信号を処理対象とすることができる。
【０１９４】
具体的には、例えば、LSI４２1及びLSI４２2が、撮像素子を有する撮像装置に設けられている場合、LSI４２1及びLSI４２2は、例えば、撮像素子からの入力画像を構成する各領域の動きに応じて、入力画像に生じた手振れ等を低減する手振れ補正処理等を行うことができる。
【０１９５】
具体的には、例えば、LSI４２1が、半分画像Rを構成する各領域の動きベクトルmv(R)を検出し、LSI４２2が、半分画像Lを構成する各領域の動きベクトルmv(L)を検出する。そして、LSI４２1は、半分画像Rから検出した動きベクトルmv(R)を、LSI４２2に送信するとともに、LSI４２2からの動きベクトルmv(L)を受信する。
【０１９６】
これにより、LSI４２1及びLSI４２2は、いずれも、入力画像を構成する各領域の動きベクトルと同一の動きベクトルmv(R)及びmv(L)を取得する。
【０１９７】
LSI４２1は、取得した動きベクトルmv(R)及びmv(L)に基づいて、半分画像Rに生じた手振れ等を補正するとともに、LSI４２2は、取得した動きベクトルmv(R)及びmv(L)に基づいて、半分画像Lに生じた手振れ等を補正する。
【０１９８】
なお、カメラ等の撮像装置において、手振れ補正後の半分画像R及び半分画像Lは、１枚の画像、すなわち、手振れ補正後の入力画像とされ、例えば、撮像装置内のメモリ等に保持される。
【０１９９】
ところで、本技術は、以下の構成をとることができる。
（１）入力データを複数の異なる分割データに分割する分割部と、複数の異なる前記分割データをそれぞれ処理する複数の信号処理部とを含み、前記信号処理部は、前記分割データを対象として、第１のデータ処理を行う第1の処理部と、前記第１の処理部による第１の処理結果を、他の前記信号処理部に送信するとともに、他の前記信号処理部から送信された第２の処理結果を受信する通信部とを有する信号処理装置。
（２）前記信号処理部は、前記第１の処理結果と前記第２の処理結果に基づいて、前記入力データに前記第１のデータ処理を施したときに得られる第３の処理結果を取得する取得部と、前記取得部により取得された前記第３の処理結果を対象として、前記第１のデータ処理とは異なる第２のデータ処理を行う第２の処理部とをさらに有する前記（１）に記載の信号処理装置。
（３）前記通信部は、前記第１の処理結果の他、前記複数の信号処理部に反映させる設定内容を示す設定情報も、他の前記信号処理部に送信する前記（１）又は（２）に記載の信号処理装置。
（４）前記通信部は、前記設定情報を受信済みの他の前記信号処理部との間で、前記設定情報に基づく設定内容を反映させるタイミングを同期させる前記（３）に記載の信号処理装置。
（５）前記通信部は、前記第１の処理結果を、他の前記信号処理部から受信済みの前記第２の処理結果とともに、さらに他の前記信号処理部に送信する前記（１）乃至（４）に記載の信号処理装置。
（６）前記分割部は、前記入力データとして入力される入力画像を、複数の異なる部分画像に分割し、前記信号処理部において、前記第１の処理部は、前記部分画像を対象として、前記部分画像を区分して得られるサブ領域の輝度に関する情報であるサブ領域情報を算出する前記第１のデータ処理を行い、前記通信部は、前記第１の処理部の処理結果として得られた第１の前記サブ領域情報を、他の前記信号処理部に送信するとともに、他の前記信号処理部から、他の前記部分画像を対象として算出された第２の前記サブ領域情報を受信し、前記取得部は、前記第１の処理部により算出された前記第１のサブ領域情報、及び前記通信部により受信された前記第２のサブ領域情報を、前記入力画像に前記第１のデータ処理を施したときに得られる第３のサブ領域情報として取得し、前記第２の処理部は、前記取得部により取得された前記第３のサブ領域情報を対象として、前記部分画像の表示用に点灯する、バックライトの一部を制御させるためのバックライトデータを生成する前記第２のデータ処理を行う前記（２）に記載の信号処理装置。
（７）分割部と、複数の信号処理部とを含む信号処理装置の信号処理方法において、前記分割部による、入力データを複数の異なる分割データに分割する分割ステップと、前記信号処理部による、前記分割データを対象として、第１のデータ処理を行う第1の処理ステップと、前記第１の処理ステップによる第１の処理結果を、他の前記信号処理部に送信するとともに、他の前記信号処理部から送信された第２の処理結果を受信する通信ステップとを含む信号処理方法。
（８）コンピュータを、入力データを複数の異なる分割データに分割する分割部と、複数の異なる前記分割データをそれぞれ処理する複数の信号処理部として機能させるためのプログラムであって、前記信号処理部は、前記分割データを対象として、第１のデータ処理を行う第1の処理部と、前記第１の処理部による第１の処理結果を、他の前記信号処理部に送信するとともに、他の前記信号処理部から送信された第２の処理結果を受信する通信部とを有するプログラム。
【０２００】
上述した一連の処理は、例えばハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、又は、各種のプログラムをインストールすることで、各種の機能を実行することが可能な、例えば汎用のコンピュータなどに、プログラム記録媒体からインストールされる。
【０２０１】
[コンピュータの構成例]
図１５は、上述した一連の処理をプログラムにより実行するコンピュータのハードウェアの構成例を示している。
【０２０２】
CPU（Central Processing Unit）２０１は、ROM（Read Only Memory）２０２、又は記憶部２０８に記憶されているプログラムに従って各種の処理を実行する。RAM（Random Access Memory）２０３には、CPU２０１が実行するプログラムやデータ等が適宜記憶される。これらのCPU２０１、ROM２０２、及びRAM２０３は、バス２０４により相互に接続されている。
【０２０３】
CPU２０１にはまた、バス２０４を介して入出力インタフェース２０５が接続されている。入出力インタフェース２０５には、キーボード、マウス、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０２０４】
入出力インタフェース２０５に接続されている記憶部２０８は、例えばハードディスクからなり、CPU２０１が実行するプログラムや各種のデータを記憶する。通信部２０９は、インターネットやローカルエリアネットワーク等のネットワークを介して外部の装置と通信する。
【０２０５】
また、通信部２０９を介してプログラムを取得し、記憶部２０８に記憶してもよい。
【０２０６】
入出力インタフェース２０５に接続されているドライブ２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記憶部２０８に転送され、記憶される。
【０２０７】
コンピュータにインストールされ、コンピュータによって実行可能な状態とされるプログラムを記録（記憶）する記録媒体は、図１５に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア２１１、又は、プログラムが一時的もしくは永続的に格納されるROM２０２や、記憶部２０８を構成するハードディスク等により構成される。記録媒体へのプログラムの記録は、必要に応じてルータ、モデム等のインタフェースである通信部２０９を介して、ローカルエリアネットワーク、インターネット、デジタル衛星放送といった、有線又は無線の通信媒体を利用して行われる。
【０２０８】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０２０９】
さらに、本開示は、上述した実施の形態に限定されるものではなく、本開示の要旨を逸脱しない範囲において種々の変更が可能である。
【符号の説明】
【０２１０】
２１  テレビジョン受像機，  ４１  分割部，  ４２1,４２2,４２a乃至４２d  LSI，  ４３  表示部，  ４３a  バックライト，  ４３b  液晶パネル，  ４４  マイコン，  ４５  操作部，  ６１1,６１2  ブロック統計部，  ６２1,６２2  BL強度決定部，  ６３1,６３2  BL制御部，  ６４1,６４2  拡散光量計算部，  ６５1,６５2  補正部，  ８１1,８１2  算出部,  ８１a1,８１a2  SRAM,  ８２1,８２2  SPI,  ８３1,８３2  SRAM,  ８４1,８４2  統合部,  ８１a1,８１a2  SRAM
【図１】
2013191027.tif 000003
【図２】
2013191027.tif 000004
【図３】
2013191027.tif 000005
【図４】
2013191027.tif 000006
【図５】
2013191027.tif 000007
【図６】
2013191027.tif 000008
【図７】
2013191027.tif 000009
【図８】
2013191027.tif 000010
【図９】
2013191027.tif 000011
【図１０】
2013191027.tif 000012
【図１１】
2013191027.tif 000013
【図１２】
2013191027.tif 000014
【図１３】
2013191027.tif 000015
【図１４】
2013191027.tif 000016
【図１５】
2013191027.tif 000017
【国際調査報告】
2013191027.tif 000018
2013191027.tif 000019